(57)【特許請求の範囲】
【請求項１】
光伝達のための装置であって、
光源と、
ホットメルト接着性の熱可塑性材料の少なくとも１つの細長い部材で形成された自己支持型光伝導性媒体と、を具備し、
前記光源が光を前記細長い部材に任意の角度で入射させるよう動作し、
反射性ベルトが前記光源及び１つ以上の細長い部材を包囲し、電池パック及び回路が前記ベルト上に位置し、
前記ベルトが、前記自己支持型光伝導性媒体及び光源を中心部に沿って包むようにループを有するループ・ストリップとフックを有するフック・ストリップとからなる一対のストリップから形成され、前記一対のストリップが縁に沿って互いに係合してケースを形成する、装置。
【請求項２】
前記光源が前記細長い部材の端部に配置された発光ダイオードである、請求項１記載の装置。
【請求項３】
前記光源が前記細長い部材に沿って配置された複数の発光ダイオードである、請求項１記載の装置。
【請求項４】
ユーザーが着用する携帯型の反射性ベルトであって、
可撓性材料で形成され、ユーザーの腰を取り巻く長さを持つベルトであって、前記ベルトの長さ方向に間隔を置いて配置された複数の光源を含む細長い包みを提供するベルトと、
前記ベルトに取り付けられた電池パック及び回路と、
前記光源が配置され、その長さ方向に光を伝えるよう動作する少なくとも１つの細長い光伝達部材であって、所定の光伝達特性を提供する実質的に透明でホットメルト接着性の熱可塑性材料で形成された光伝達部材と、を具備し、
前記ベルトが、前記光伝達部材及び光源を中心部に沿って包むようにループを有するループ・ストリップとフックを有するフック・ストリップとからなる一対のストリップから形成され、前記一対のストリップが縁に沿って互いに係合してケースを形成する、反射性ベルト。
【請求項５】
前記光源が、前記光伝達部材内を伝わることができる任意の可視光線又は不可視光線である、請求項４記載の反射性ベルト。
【請求項６】
前記光源が複数の発光ダイオードである、請求項４記載の反射性ベルト。
【請求項７】
前記光源がレーザー・ビームである、請求項４記載の反射性ベルト。
【請求項８】
前記光源がハロゲン・ランプである、請求項４記載の反射性ベルト。
【請求項９】
前記ベルトが、光反射性材料の裏側層と、半透明プラスチック材料の表側の層とを含む、請求４乃至８の何れか１項に記載の反射性ベルト。
【請求項１０】
前記光源が電池駆動される回路によって駆動されて、前記光伝達部材を通して閃光を発する、請求項４乃至９の何れか１項に記載の反射性ベルト。
【請求項１１】
前記ベルトが、白の裏側層と光を散乱させるための前面のビニル・レンズとを含む逆反射性材料から形成されている、請求項４乃至１０の何れか１項に記載の反射性ベルト。
【請求項１２】
前記ループのストリップが光反射性材料で作られ、前記フックのストリップが半透明材料で作られていて、前記光伝達部材のケースを形成する、請求項４乃至１１の何れか１項に記載の反射性ベルト。
【請求項１３】
前記光伝達部材に１つ以上の染料又は着色料が付加されている、請求項４乃至１２の何れか１項に記載の反射性ベルト。
【請求項１４】
前記光伝達部材が、赤、緑及び青の発光ダイオードを組み合わせて６４色スペクトルの配列における所定の色を作る光源を含む、請求項４乃至１３の何れか１項に記載の反射性ベルト。
【請求項１５】
前記光伝達部材が、所望の光特性を達成するために、積層、編み及び束ねのいずれかによって他の材と組合わされる、請求項４乃至１４の何れか１項に記載の反射性ベルト。
【請求項１６】
前記光源が前記光伝達部材の両端に配置され、これらダイオードの対が前記光伝達部材の両端部の方を向いている、請求項４乃至１５の何れか１項に記載の反射性ベルト。
【請求項１７】
前記光源が、前記光伝達部材に沿って所定間隔離間した状態で、前記光伝達部材に対して接着されるか又は前記光伝達部材内に包囲される、請求項４乃至１６の何れか１項に記載の反射性ベルト。
【請求項１８】
前記光伝達部材の外形が丸みのある上面と下面に形成された凹部とを含み、前記光源及びホットメルト接着剤が前記光伝達部材に沿って所定間隔で前記凹部に挿入されている、請求項４乃至１７の何れか１項に記載の反射性ベルト。
【請求項１９】
前記光源が前記ホットメルト接着剤内に包み込まれ、前記光伝達部材の下面が光反射性のマイクロプリズムで形成されている、請求項４乃至１８の何れか１項に記載の反射性ベルト。
【発明の詳細な説明】
【０００１】
【発明の属する技術分野】
本発明は、光送出の分野に関し、詳細には自己支持型光伝導性媒体、及び、安全及び類似の配慮のため反射性ベルト、ベスト、ヘルメット等に使用する光伝達材料として当該媒体を使用することに関する。
【０００２】
【従来の技術】
近年、米国及び多くの他の国において、福祉及び健康へ関心が集まって来ており、そのため、個人やグループが都市や田舎において街路、歩道、公園及びランニング小道で運動のためランニング、ジョギングあるいはウォーキングを楽しむことは普通のことになりつつある。時間的制約から、多くの人々は仕事の前あるいはその後で薄暮の夕方又は暗闇で走っている。明かりがほの暗いか真っ暗な場合、街路の照明が街路の隅に配置されており、長い街路ブロックにおいては照明なしの大きな間隔が存在するのが普通であるから、歩道が無い又は破損しているが故にランナーにより占有される街路の照明は最小であり、従って、ランナーは常にはっきりと見えるわけではない。視界に影響を及ぼす別の要因は多くのランナーが着ている暗い色の服であり、この暗い色の服は光を反射しないため、ランナーが存在するとき、街路を走行している車両運転手がランナーを視認することは容易でない。
【０００３】
ランナーを視認し易くするための最近の試みは、走行車両から投射される明かりから一層容易に視認できるようにランナーに白い又は明るい色の服を着用させる努力、又は走行車両からの光を捕捉して反射する光反射性テープを前部及び背部に有するジャケットのようなランニング服を提供する努力を含む。これらの処置をとっても、ランナーと走行車両とに関係する事故は多数にのぼるが、これらの事故は回避し得るものである。ランナー又はジョガーが走行車両と衝突する場合、ランナーの方が重大な損傷を被ることは明らかであり、走行車両との衝突によるランナーの死亡数は近年上昇している。
【０００４】
これらの問題、付随する損傷及び死亡、及び関連する費用を克服するため、暗闇又は視界の悪い環境下でランナーをより視認し易くする装置を提供する努力がなされている。１つの普通の装置は、上部に水平及び／又は垂直の方向に配置された反射性テープを持ちランナーの胴に着用される反射性のベストである。しかしながら、運転手がライトを薄暮で点燈しない場合、ベストは非実用的なものとなる。同様に、街路灯からの明かりで反射性材料が光る場所をランナーが走っていない場合や、車両からのライトがベルトの方に向けられていない場合、ランナーが着ける反射性ベルトは有効ではない。
【０００５】
ごく最近、個々に駆動される光送出装置の種々のタイプのものを、薄暮又は暗闇での視認性を向上させるためにランナー又はジョガーが着用しつつある。このような光送出装置は、連続の光ビームを与えるようにランナーの脚部に装着され、自蔵式のバッテリパックとランプと反射体とを有する脚部灯のような、装着者の１つ以上の脚部に装着するための装置を含む。他のタイプは、光を投射するための分散レンズを備える閃光型の又は明滅型の発光体を利用する。また、暗闇における視認性を向上させるよう高可視性の光源を提供するためベルト又は服にクリップ止めし得る閃光型航空機ストローブ・ライトが利用可能である。
【０００６】
しかしながら、これらの装置は、光源の強さ又は光が見える角度のいずれかにおいて制限される。該装置の大部分は１６０度から１８０度の角度において見えない。従って、側方からのように装置が見えない角度で車両がランナーに近づきつつある場合、運転手がランナーを発見したときには衝突を避けることができないことがある。これを克服するため、複数のランプを利用し得るが、このアプローチは余分の重さを付加しランナーに不快である。また、多くの反射性ベルトは、制限された視界のみを提供する比較的低レベルの光源を持つエレクトロルミネッセンス材料を使用する。
【０００７】
【発明が解決しようとする課題】
本発明は、既知の光送出装置の上記の制限及び欠点を、遠方からも視認でき、ランナーが心地よく着用でき、走行車両の運転手により実質的にいずれの接近角度からもランナーを見えるようにする反射性ベルト又はベストに組み込み可能である極めて高い強度の発光体を提供することにより克服するものである。
【０００８】
【課題を解決するための手段】
本発明は、反射性ベストや安全ベストのような安全装置に現在用いられているよりも高強度の光送出装置を提供するのに有効な光送出方法及び装置に関する。光送出装置は、閃光電球や発光ダイオード（ＬＥＤ）のような光源と、ホットメルト接着剤として一般に用いられている可撓性の熱可塑性の１つ以上の細長い部材の形の自己支持型の光伝導性媒体とを備える。ホットメルト接着剤は種々の長さ及び断面形状であり、種々の明瞭度又は透明度を有するものでよい。ホットメルト接着剤は可撓性に富み、また、光源が部材の端部に配置されたとき、その長さに沿って、エレクトロルミネッセンス物質よりも高い視認性を提供する比較的高い強度で光を伝達するよう透明度又は明瞭度が高い。
【０００９】
また、本発明は、可撓性が高いが故に、ランナーその他のユーザーの体に着装されて不快感なく体に合致する反射性ベスト及び／又はベストに組み込まれ得る発光装置をも含む。ホットメルト接着剤を用いる１つの方法は、端部間に発光ダイオードを挟んで軸方向に整列したホットメルト接着性のロッドと、該ロッドを平行にし且つ発光ダイオードとの接続を行う一対の導電性の織物のストリップとの使用にある。こうした構成は押し出し成型、インジェクション・モールディング等の種々の方法で形成することができる。
【００１０】
更に、本発明は、ベルクロ材料のストリップ又はバンドで形成された発光ベルトの提供を含む。この場合、ループのストリップは不透明で光反射性であり、フックのストリップは光を透過させる半透明な材料であり、光伝達部材及び発光ダイオードはストリップ間に配置される。ストリップは部材の周囲に形成され、ベルクロ材のループとフックによって結合される。
【００１１】
【発明の実施の形態】
本発明の例示的な実施の形態を示す図面において、図の開示を参照すれば、図１には、本発明の明るさを増したベルト１１を着用した人（大人あるいは子供）１０が示されている。ベルト１１は着用者の腰に巻きつけられたように示されている。着用者は暗がりで遊んでいる子供でも、暗がりを走ったり歩いている大人でも良く、彼らは行き交う交通機関によって視認されることを望んでいる。このようなベルトは、交通整理中の警察官や、夜の火事現場に向かう消防士に特に好適である。
【００１２】
このベルト１１は、細長い不透明かつ光反射性の材料で作られた裏側のストリップ１２と、光が透過され他人から見えるようにする材料で出来た細長い半透明の前側のストリップ１３とから作られている。これらの裏側のストリップと半透明の前側のストリップとで形成された管即ちケース内に光送出装置１５が配置される。この装置は一般にホットメルト接着剤として知られている、実質的に透明な熱可塑性材料の１つ以上の細長い部材１６を含む。このような材料は、ミネソタ州セントポールのＨ．Ｂ．Ｆｕｌｌｅｒ社製造のストック番号１１０のエチレン−酢酸ビニル、Ａｄｈｅｓｉｖｅ  Ｔｅｃｈｎｏｌｏｇｉｅｓ社の１部門であるＡｄ−Ｔｅｃｈプラスチック・システム社製造の「Ｃｒａｆｔｙ」ホットメルト接着材として識別される低密度ポリエチレン（なお、「Ｃｒａｆｔｙ」はＡｄ−Ｔｅｃｈ社の登録商標である）、ポリプロピレン熱可塑性材料又はニューハンプシャー州シーブルックのＨｙｓｏｌ  Ｅｎｇｉｎｅｅｒｉｎｇ  Ａｄｈｅｓｉｖｅｓ社製造の＃７８２０  Ｈｙｓｏｌとして識別されるポリアミド接着剤から主に成る接着剤を含む。上記の材料は皆、大きな柔軟性と高度の透明性を備えている。Ｈ．Ｂ．Ｆｕｌｌｅｒ社のエチレン−酢酸ビニルは、ペレット、ピローあるいは様々な長さのロッドとして入手可能である。これらのロッドは極めて柔軟であり、その透明度は材料を華氏３００乃至３５０度（セ氏約１４９乃至１７７度）で溶融し急速に冷却することによって決定される。
【００１３】
このロッドその他の細長い部材のための光送出源となるように、複数の発光ダイオード１７が軸方向に延在する部材１６の両端間に且つベルト１内に設けられる。このロッドに平行に、「Ｆｌｅｃｔｒｏｎ」（Ｍｏｎｓａｎｔｏ社の登録商標）のような導電性織物の２本のストリップ即ちバンド１８、１９が配置される。この導電性織物は、ニッケル又はニッケル／銅のメッシュ素材であって、接続線２１を介して電源（図５参照）から発光ダイオードに電流を流す。
【００１４】
部材１６は、それらの間に発光ダイオードを位置させて所望の光伝達度に依存する適宜の長さを持っており、これらの部材と発光ダイオードと導電性織物とをストリップの間に配置してそれらのストリップ１２、１３をその外縁２２で縫い合わせることにより、細長いストリップ１２、１３の間に位置決めされる。この場合、熱可塑性材料と導電性織物と発光ダイオードとを押し出し成型器に供給し、押し出しの際に熱可塑性材料を所望の断面形状に成型すると共に発光ダイオードと導電性織物とを熱可塑性材料の中に埋め込んで熱可塑性材料を導電性織物と発光ダイオードとの間の絶縁体として働かせるようにしてもよいし、導電性織物と発光ダイオードを所望の型の中に置き、これらの周囲にホットメルト接着性の熱可塑性材料を注入又はトランスファーモールドし、急速に冷却して最大限の透明度を得るようにしてもよい。
【００１５】
部材１６は好適な長さのエチレン−酢酸ビニル熱可塑性材料であり、光送出源である発光ダイオード１７は近赤外線又は赤外線のような可視光又は不可視光の任意の発光源である。一層一般的な発光形式は、比較的高輝度の閃光電球（ｆｌａｓｈｌｉｇｈｔ  ｂｕｌｂ）、発光ダイオード、ハロゲン・ランプ又はレーザーである。導電性材料としては、上記の導電性織物でも良いが、電気エネルギーを発光ダイオードの電気入力に供給するための他の好適な導電性の布地、ポリマー、液体、気体、金属又はそれらの任意の組合せでよい。光伝達材料は電気絶縁材としても働き得る。
【００１６】
図５は、本発明のベルトに給電するために適切な電気回路の回路図であり、この回路は、３９０９ＬＥＤフラッシャ・チップ２４の端子４と端子５の間にスイッチ２３と直列に接続した３.０ボルトのＤＣ電池２２を備え、端子４は共通接地２５に接続される。第１のトランジスタ２６は、そのチップの端子２に接続したベース２７と、端子６に接続したエミッタ２８とを有している。このトランジスタのコレクタ２９は、第２のトランジスタ３１のベース３２に接続されており、この第２トランジスタ３１は、共通接地２５に接続したエミッタ３３と、複数のダイオード１７の一方の側３６に接続したコレクタ３４とを有しており、それら複数のダイオードの他方の側３７はそれらダイオードと並列の電池２２に接続されている。また、キャパシタ３８は、チップの端子２と端子８との間に接続されている。
【００１７】
図６−図９は、反射性ベルトの第２の実施の形態４１を示しており、同図において、ベルトは、“Ｒｅｆｌｅｘｉｔｅ”（リフレクサイト社の登録商標）として知られた逆反射材料から形成されている。このベルトは、光を前方に反射する白色の支持片又は細長いストリップ４２と、光増倍のためのビニル・レンズである前側の細長いストリップ４３とを備える。部材４４とダイオード４５とそれらの接続部とは、ストリップ４３、４４とが形成する管又はケース内に、図５に示したような回路とこの回路に対する電源を提供する電池パック４７とを含む回路ボード４６と共に配置されている。ビニル・レンズは、ロッドからの光をこれらロッドの全長にそって一層均一に散乱させ、これにより、光が一定の発光で又は閃光あるいは点滅する光のいずれかで相当な距離まで投射されるようにする。
【００１８】
図１０は、反射性ベルトの第３の実施の形態５１を示しており、同図において、ベルトは、裏側のストリップ又はバンドと、前側の半透明のストリップ又はバンド５３で形成され、１つ又はそれ以上の細長い光伝達部材５４は、光を部材５４を通るように互いに対向する方向に向いた１対の発光ダイオード５５、５６間に配置される。この実施の形態においては、発光ダイオード５５、５６は、互いに異なった色のものであり、異なった速度で点滅又は閃光動作し、多色閃光のベルトを着用者に対し提供するようにできる。
【００１９】
図１１に示すように、細長い光伝達部材６１は、ホットメルト接着性材料で形成された、丸くなった上側の面６２と窪んだ下側の面６３を持つ不規則な輪郭を有している。長手方向に隔置した発光ダイオード６４は、部材６２の中央の凹状の窪み６３内に収容され、発光ダイオードは、これら発光ダイオードの周りに形成されて窪み６３を充填するホットメルト接着剤６５に埋め込まれる。発光ダイオードは、部材６２の長さ方向に光を向けるように配置される。ホットメルト接着剤６５内には、それらダイオードに電力を供給するための適宜な接続部６６が埋め込まれる。
【００２０】
図１２は、図１１に示したのと同様の別の細長い光放出部材６７を開示しており、この部材６７は、丸くなった上側の面６８と、下側の面上の凹状の窪み６９とを持つ不規則な輪郭を有しており、下側の面上の凹状の窪み６９は、光をこの部材に沿って送るように位置決めされ且つホットメルト接着剤７２内に長手方向に隔置された発光ダイオード７１を収容する。その下側の面に、光反射性のマイクロプリズム７３のような何らかのタイプの反射性デバイスが形成され、この部材の光伝達特性を向上させる。部材６１及び６７を適宜の押し出し成型機から押し出すようにし、これらの部材が押し出し成型機から出てくるときに発光ダイオードとホットメルト接着剤とを設けるようにすることができる。また、適宜のローラその他の構成部品を使用して、部材６７のプリズム表面を設けるようにすることもできる。
【００２１】
図１３及び図１４は、反射性ベルトの第４の実施の形態８１を示しており、この実施の形態において、半透明のナイロン、ポリプロピレン、ポリエチレン又はポリエステルの“Ｖｅｌｃｒｏ”（ベルクロ社の登録商標）、“Ｃｏｓｍｏｌｏｎ”（ＹＫＫの登録商標）、もしくはこれと同様のフック／ループ型の材料の細長いストリップを用いて、部材８７及び発光ダイオード８８を収容するベルト又はケースを形成する。このベルトは、ループ８３を含む“Ｖｅｌｃｒｏ”型の材料の裏側のストリップ８２で形成され、このストリップ８２は、ロッドから伝達された光を前方に反射するため白色又は明るい色の材料のものである。“Ｖｅｌｃｒｏ”材料の前側の半透明ストリップ８４は、パワーフック８５の材料を含む。この部材８７と光源とは、互いに対面するループとフックとを持った材料の“Ｖｅｌｃｒｏ”ストリップの間に挟まれるので、それら部材、光源、及び接続材料は“Ｖｅｌｃｒｏ”ストリップが形成する管内に配置され、フックとループがそれらストリップをその縁８６にて互いに係合してベルトを形成する。
【００２２】
図１５と図１６は、鉄道トラック、道路工事等の作業者を含む、多くの産業における作業者により着用されるような安全ベスト９１における適切な光源及び反射材料の使用を開示する。このベストはまた、警官、交差点の警備官、又は、暗い照明条件において義務を実行するために場周経路の中で移動する者により使用される。このベストは、作業者９５の首周りに適合するように肩部９４により接合された前パネル９２と後パネル９３とを含み、全部の部分が軽量なメッシュ材料により形成されている。ベストの両側面は開いており、ベロクロ・ファスナー付きのストラップ９６が取付けられていて、作業者の仕事が妨げられることなく作業者の体を包囲するよう保持される。ベストは反射性のストリップ９７を備える。このストリップは、垂直又は水平方向に設けられ、反射性ベルトに用いられたのと同じような部材と光源を含む前側の光放出バンド９８と後側の光放出バンド（図示せず）とを有する。各バンドは、図５に示されるような回路のための発光ダイオードと電池パック９９とを持ち、独立である。
【００２３】
本発明は反射性ベルト又はベストとして開示されているが、自動車又はトラックの運転者に対する警告信号として用いられる安全トライアングル、オートバイ乗り、自転車乗り又はインライン・ローラスケータにより使用される衝突ヘルメット、スキューバ・ダイビング又は潜水のためのダイビング装置、及び、視認性を保証する多くの他のこのような装置に利用され又は組み込まれ得る。こうした光伝達材料はスキューバ・ダイバーのダイビング・タンク又はダイバーの体に取付けられる。
【００２４】
エチレン−酢酸ビニル熱可塑性材料は極めて可撓性に富み、材料の光伝達特性に影響を及ぼすことなく、任意の形状又は断面へ形成可能であり、再形成可能である。光は、部材の端部からだけではなく、任意の角度で材料内を伝達される。このため、光は、部材の軸に垂直に又はこのような軸に対して任意の他の角度で部材に投射される。エチレン−酢酸ビニル・プラスチックの代替物としては、低密度ポリエチレン、ポリプロピレン、イーストマン・ケミカル社製の「Ｓｐｅｃｔａｒ」として識別されるコポリエステル・プラスチック、♯７８２０Ｈｙｓｏｌとして識別されるＨｙｓｏｌ  Ｅｎｇｉｎｅｅｒｉｎｇ  Ａｄｈｅｎｓｉｖｅｓ社製のポリアミド熱可塑性プラスチック、又はそれらの組み合わせがある。ただし、これらの材料はエチレン−酢酸ビニル・プラスチックほど可撓性が高くても、高くなくても良い。例えば、「Ｓｐｅｃｔａｒ」は高い透明度を持つ比較的硬質なプラスチックであるが、エチレン−酢酸ビニル熱可塑性プラスチックよりも硬質である。光伝達材料は、発光源により駆動されるとき、内部であれ外部であれ、全ての平面から全ての方向に光を放出する。また、装置が可燃性の状況において使用される場合、火災又は爆発を避けるために、熱可塑性ホットメルト接着剤を適切な難燃剤で処理することができる。
【００２５】
ホットメルト接着剤以外の透明な密閉剤である他の適切な材料は、任意の適宜の長さのビーズの形で用いられる澄んだゲルとして利用可能な以下の市販の製品を含む。このような製品は、Ｇｌｉｄｄｅｎ社のＭａｃｃｏ  Ａｄｈｅｓｉｖｅｓ部門の商標である「Ｌｉｑｕｉｄ  Ｓｅａｌ」、Ｅｌｅｃｔｒｉｃ  Ｐｒｏｄｕｃｓｔｓ社の登録商標である「Ｓｈｏｅ  Ｇｏｏ」及び「Ｓｈｏｅ  Ｇｏｏ  II」、及びＥｌｅｃｔｒｉｃ  Ｐｒｏｄｕｃｓｔｓ社の商標である「Ａｍａｚｉｎｇ  Ｇｏｏｐ」を含む。後者の製品は酢酸プロピル及び石油蒸留物から本質的に形成されるゲルである。それらの製品の各々はゲルとして用いられるが、その後、光伝達に利用され得る密閉剤の可撓性ビードの形で硬化する。
【００２６】
光出力強度は、光伝達材料の外部平面に選択的に切れ目を付けることにより増すことができ、加えて、適切な反射性材料により光伝達材料の面を選択的に裏張りすることにより増すことができる。染料又は着色剤を光伝達材料に加えて、生成される効果を変えることができる。また、赤、緑及び青の発光ダイオードの可視光出力をはベルト又はベスト等における部材と結合することができ、この場合、光は光伝達媒体のコア又は表面に沿って伝わって６４色スペクトルの配列を達成する。また、所望の光出力特性を達成するために、光伝達部材又はストランドを組み合わせて積層し、束ね又は織ることもできる。
【００２７】
図５に示された回路は３．０ボルト電池パックにより光源を駆動するが、異なるチップを含む他の利用可能な回路が他の電源（直流電源、又は、所望の電圧と電流の直流電圧に変換できる交流電源）と共に利用され得る。
【図面の簡単な説明】
【図１】本発明の反射性ベルトを腰の回りに着用した人の外観を示す図１ある。
【図２】反射性ベルトで使用するための発光源の１つの実施の形態を示す正面図である。
【図３】発光源を含む反射性ベルトの斜視図である。
【図４】図３の線４−４に沿う垂直断面図である。
【図５】反射性ベルトのダイオードその他の光源を駆動するための電子回路の概略図である。
【図６】ダイオードと光放出部材とを含む逆反射性テープを使用する反射性ベルトの第２の実施の形態の斜視図である。
【図７】発光源の平面図を、反射性ベルトの前側の半透明部を省略して示す。
【図８】図６の線８−８に沿う垂直断面図である。
【図９】図６の線９−９について沿う垂直断面図である。
【図１０】ダイオードの光伝達部材に対する異なる配置を用いる反射性ベルトの第３の実施の形態の一部分を破断して示す正面図である。
【図１１】  ホットメルト接着剤にダイオードを埋設した光放出部材の別の形態を断面図で示す拡大斜視図である。
【図１２】図１１に示すのと同様の光放出部材の別の形態の拡大断面図である。
【図１３】ベルクロ・ファスナーを用いる反射性ベルトの第４の実施の形態の一部分を破断して示す正面図である。
【図１４】図１３の線１４−１４に沿う垂直断面図である。
【図１５】本発明の発光ダイオード及び部材を組み込んだ反射性即ち安全ベストを着用した人の正面図である。
【図１６】図１５のベストの斜視図である。
【図１】
0004138927.tif 000002
【図２】
0004138927.tif 000003
【図３】
0004138927.tif 000004
【図４】
0004138927.tif 000005
【図５】
0004138927.tif 000006
【図６】
0004138927.tif 000007
【図７】
0004138927.tif 000008
【図８】
0004138927.tif 000009
【図９】
0004138927.tif 000010
【図１０】
0004138927.tif 000011
【図１１】
0004138927.tif 000012
【図１２】
0004138927.tif 000013
【図１３】
0004138927.tif 000014
【図１４】
0004138927.tif 000015
【図１５】
0004138927.tif 000016
【図１６】
0004138927.tif 000017